(57)【特許請求の範囲】
【請求項１】
太陽熱を利用して熱媒を加熱する太陽熱集熱器と、
湯水を貯湯する貯湯タンクと、
太陽熱集熱器と貯湯タンクとの間で熱媒を循環させると共に、貯湯タンク内に配設された熱交換部を具備する熱媒循環管路と、
所定量の熱媒が注入されるシスターンと、
熱媒を熱媒循環管路内に循環させる循環ポンプと、
貯湯タンクの下流に配管接続される補助熱源機と、
熱媒循環管路に設けられた液々熱交換部と、
補助熱源機から延設されて液々熱交換部に接続され、補助熱源機で加熱された温水を循環させる加熱用循環管路と、
試運転制御を行なう制御部とを備え、
制御部による試運転制御は、
循環ポンプを作動させて熱媒循環管路にシスターン内の熱媒を循環させ、シスターン内の熱媒の水位が所定時間維持されるかどうかを検知することにより、熱媒循環管路における水張り具合を検知する水張り判定を行うように設定されている太陽熱給湯装置。
【請求項２】
太陽熱を利用して熱媒を加熱する太陽熱集熱器と、
湯水を貯湯する貯湯タンクと、
太陽熱集熱器と貯湯タンクとの間で熱媒を循環させると共に、貯湯タンク内に配設された熱交換部を具備する熱媒循環管路と、
所定量の熱媒が注入されるシスターンと、
熱媒を熱媒循環管路内に循環させる循環ポンプと、
貯湯タンクの下流に配管接続される補助熱源機と、
熱媒循環管路に設けられた液々熱交換部と、
補助熱源機から延設されて液々熱交換部に接続され、補助熱源機で加熱された温水を循環させる加熱用循環管路と、
試運転制御を行なう制御部とを備え、
制御部による試運転制御は、
加熱用循環管路に補助熱源機で加熱された温水を循環させることにより熱媒循環管路内の熱媒を液々熱交換部で加熱する熱媒加熱運転を開始させると共に、熱媒加熱運転開始前後における熱媒循環管路内の熱媒の温度を比較して熱媒の昇温具合を検知する昇温判定を行うように設定されており、
熱媒循環管路は、熱媒を太陽熱集熱器から熱交換部に送る熱媒循環往路、熱交換部から太陽熱集熱器に熱媒を戻す熱媒循環復路、及び、熱媒循環往路と熱媒循環復路とを繋ぐバイパス路を有し、
熱媒循環往路または熱媒循環復路には、太陽熱集熱器への熱媒の流れを連通／遮断する第１開閉弁が設けられ、
バイパス路には、バイパス路における熱媒の流れを連通／遮断する第２開閉弁が設けられ、
制御部は、試運転制御に際して、第１開閉弁を閉弁させるとともに第２開閉弁を開弁させることにより熱媒を太陽熱集熱器に流通させずにバイパス路に流通させる第１の熱媒循環経路と、第１、第２開閉弁を開弁させて熱媒を太陽熱集熱器側にも流通させる第２の熱媒循環経路とに切替自在とする太陽熱給湯装置。
【請求項３】
シスターン内には、熱媒の異常高水位を検知する高水位スイッチと、熱媒の異常低水位を検知する低水位スイッチとが配設され、
制御部の水張り判定にて、低水位スイッチからの出力信号が検出され且つ高水位スイッチからの出力信号が検出されない状態で所定時間経過したかどうかが判断されるように設定されている請求項１に記載の太陽熱給湯装置。
【請求項４】
熱媒循環復路におけるバイパス路への分岐部と循環ポンプとの間に、熱媒の温度を検出する熱媒温度検出器が設けられている請求項２に記載の太陽熱給湯装置。
【発明の詳細な説明】
【技術分野】
【０００１】
本発明は、太陽熱給湯装置、特に、太陽熱集熱器と貯湯タンクとを接続する熱媒循環管路内の熱媒を補助熱源機で加熱された温水で加熱可能な太陽熱給湯装置の試運転制御に関する。
【背景技術】
【０００２】
従来、太陽熱を利用して熱媒を加熱する太陽熱集熱器と、貯湯タンクと、太陽熱集熱器と貯湯タンクとの間で熱媒を循環させる熱媒循環管路と、貯湯タンクの下流側に配管接続する給湯器などの補助熱源機を備えた太陽熱給湯装置が知られている。この種の太陽熱給湯装置においては、太陽熱集熱器で加熱された熱媒を熱媒循環管路で貯湯タンクに導き、貯湯タンク内に給水された水を熱媒で熱交換加熱することにより湯水を貯湯し、貯湯タンク内の湯水の温度が給湯設定温度より低い場合、給湯運転時に補助熱源機を作動させて、所定の給湯設定温度まで昇温させた湯を出湯端末に供給している（例えば、特許文献１）。
尚、貯湯タンクから太陽熱集熱器に至る熱媒循環管路にはシスターン及び循環ポンプが組み込まれており、熱媒はシスターンに注入された後、熱媒循環管路に送られ、循環ポンプの作動によって熱媒循環管路を循環する。
【先行技術文献】
【特許文献】
【０００３】
【特許文献１】特開２００３−１４８８０４号公報
【特許文献２】特開２００３−１３９３９５号公報
【発明の概要】
【発明が解決しようとする課題】
【０００４】
ところで、上記したような太陽熱給湯装置の試運転時に、熱媒循環管路を循環する熱媒の貯留量を確認する水張り判定や昇温度合いを確認する昇温判定は手動で行なわれており、目視によって確認されているため、試運転動作の確認作業が煩わしく、効率的且つ正確に行なえないといった問題が生じていた。
【０００５】
本発明は、上記事情に鑑みてなされたものであり、熱媒循環管路内における熱媒の水張り判定や昇温判定等の試運転動作を自動的に且つ効率良く実施できる太陽熱給湯装置を提供することを課題とする。
【課題を解決するための手段】
【０００６】
本発明は、太陽熱を利用して熱媒を加熱する太陽熱集熱器と、
湯水を貯湯する貯湯タンクと、
太陽熱集熱器と貯湯タンクとの間で熱媒を循環させると共に、貯湯タンク内に配設された熱交換部を具備する熱媒循環管路と、
所定量の熱媒が注入されるシスターンと、
熱媒を熱媒循環管路内に循環させる循環ポンプと、
貯湯タンクの下流に配管接続される補助熱源機と、
熱媒循環管路に設けられた液々熱交換部と、
補助熱源機から延設されて液々熱交換部に接続され、補助熱源機で加熱された温水を循環させる加熱用循環管路と、
試運転制御を行なう制御部とを備え、
制御部による試運転制御は、
循環ポンプを作動させて熱媒循環管路にシスターン内の熱媒を循環させ、シスターン内の熱媒の水位が所定時間維持されるかどうかを検知することにより、熱媒循環管路における水張り具合を検知する水張り判定を行うように設定されている太陽熱給湯装置である。
【０００７】
太陽熱給湯装置の試運転を実行するには、まず、シスターンに手動で熱媒を所定量注入する。そして、制御部からの信号により、循環ポンプを作動させてシスターン内の熱媒を熱媒循環管路内に循環させる。前記制御部によって、シスターン内における熱媒の水位が検知され、所定水位が所定時間維持されたと判定された場合は、熱媒の水張りは正常とみなされる。尚、所定水位が維持されないと判定された場合は、水張り異常とみなされ、シスターン又は熱媒循環管路を構成している配管等に漏れや亀裂がないかを検査する。
又、上記太陽熱給湯装置であって、制御部による試運転制御を、上記水張り判定に替えて、加熱用循環管路に補助熱源機で加熱された温水を循環させることにより熱媒循環管路内の熱媒を液々熱交換部で加熱する熱媒加熱運転を開始させると共に、熱媒加熱運転開始前後における熱媒循環管路内の熱媒の温度を比較して熱媒の昇温具合を検知する昇温判定を行なうように設定され、
熱媒循環管路は、熱媒を太陽熱集熱器から熱交換部に送る熱媒循環往路、熱交換部から太陽熱集熱器に熱媒を戻す熱媒循環復路、及び、熱媒循環往路と熱媒循環復路とを繋ぐバイパス路を有し、
熱媒循環往路または熱媒循環復路には、太陽熱集熱器への熱媒の流れを連通／遮断する第１開閉弁が設けられ、
バイパス路には、バイパス路における熱媒の流れを連通／遮断する第２開閉弁が設けられ、
制御部は、試運転制御に際して、第１開閉弁を閉弁させるとともに第２開閉弁を開弁させることにより熱媒を太陽熱集熱器に流通させずにバイパス路に流通させる第１の熱媒循環経路と、第１、第２開閉弁を開弁させて熱媒を太陽熱集熱器側にも流通させる第２の熱媒循環経路とに切替自在とするものでは、熱媒加熱運転により、熱媒の加熱後の温度が加熱前の温度よりも所定温度上昇していると判定され、その状態が所定時間継続する場合は、昇温状態は正常とみなされる。一方、熱媒が温度上昇しない状態で所定時間継続する場合は、昇温異常とみなされ、熱媒循環管路又は加熱用循環管路の配管のつぶれや閉塞等の異常、循環ポンプや液々熱交換部等に故障がないか検査する。
また、第１の熱媒循環経路では、熱媒循環往路と熱媒循環復路がバイパス路を介して連通する態様となり、熱媒は太陽熱集熱器側には流通されない。よって、試運転動作による水張り判定と昇温判定は、第１の熱媒循環経路のみで実施される。この状態で異常が検出されれば、配管の詰まりや各種器具の故障等の異常原因は第１の熱媒循環経路内にあると理解することができる。また、第１開閉弁を開弁させて、熱媒が太陽熱集熱器側にも流れる第２の熱媒循環経路に切り替えて、熱媒循環管路全体に試運転動作を実施する。この状態にて異常が検出されると、異常原因は第２の熱媒循環経路内にあると言える。
また、第１、第２開閉弁は試運転開始時に同時に開弁させておき、この状態で異常が検出されたら、第１開閉弁を閉弁させて、第１の熱媒循環経路に切り替えるようにしてもよい。
このように、試運転動作時に第１熱媒循環経路又は第２熱媒循環経路に切替えて水張り判定及び昇温判定を実施することにより、異常箇所の特定が容易となる。
【０００８】
上記太陽熱給湯装置において、
前記シスターン内には、熱媒の異常高水位を検知する高水位スイッチと、熱媒の異常低水位を検知する低水位スイッチとが配設され、
前記制御部の水張り判定にて、低水位スイッチからの出力信号が検出され且つ高水位スイッチからの出力信号が検出されない状態で所定時間経過したかどうかが判断されるように設定されていることが望ましい。
【０００９】
熱媒を循環ポンプで熱媒循環管路内に循環させた状態にて、シスターン内の熱媒が低水位スイッチと高水位スイッチとの間にその水位を維持した状態で所定時間経過すると水張り状態は正常と判定される。逆に、低水位スイッチからの出力信号が検出されない状態や高水位スイッチからの出力信号が検出される状態が所定の判定時間継続する場合には、水張り異常と判定され、各部の点検が必要となる。
【００１２】
また、上記太陽熱給湯装置において、
熱媒循環復路におけるバイパス路への分岐部と循環ポンプとの間に、熱媒の温度を検出する熱媒温度検出器が設けられていることが望ましい。
熱媒温度検出器は第１の熱媒循環経路内における熱媒循環復路に設けられることとなるから、第１開閉弁が閉弁されて第１の熱媒循環経路での試運転時にも昇温判定が可能となる。
【発明の効果】
【００１３】
以上のように、本発明の太陽熱給湯装置では、熱媒の水張り判定又は昇温判定が自動で行なえるようにしたから、器具の設置場所にかかわらず、効率的に且つ正確に試運転動作の確認作業を実施することができる。
又、第１開閉弁を閉弁することにより、第１の熱媒循環経路に限定して試運転動作を実施することができるから、熱媒の水張り異常又は昇温異常が検出されたとき、その異常部位の特定が容易となる。
【図面の簡単な説明】
【００１４】
【図１】本発明の実施形態に係る太陽熱給湯装置の全体構成を示す概略構成図である。
【図２】本発明の実施形態に係る太陽熱給湯装置の試運転動作における水張り判定及び第１の熱媒循環経路の昇温判定の制御を示すフローチャートである。
【図３】本発明の実施形態に係る太陽熱給湯装置の試運転動作における第２の熱媒循環経路の昇温判定の制御を示すフローチャートである。
【発明を実施するための形態】
【００１５】
以下に、本発明の実施形態をなす太陽熱給湯装置について、図面を参照しながら説明する。
図１に示すように、本実施形態による太陽熱給湯装置は、太陽熱集熱器１、貯湯タンク２、補助熱源機３、太陽熱給湯装置の運転や給湯温度を設定するリモコン４、太陽熱集熱器１と貯湯タンク２と間で熱媒を循環する循環経路を形成する熱媒循環管路７、及び太陽熱給湯装置の貯湯運転、給湯運転、及び試運転等を制御する制御部Ｃなどを備えている。
【００１６】
太陽熱集熱器１は、集合住宅のベランダに縦置きにされたり、建物の屋根などに設置されるもので、図示しないパネル状の集熱板と、ソーラ発電部として太陽電池セルが複数配設された太陽電池パネル１ａとが積層一体化された発電集熱ユニットからなり、その内部に熱媒を循環させる内部通路を有している。この内部通路は、熱媒循環管路７の一部を構成している。太陽熱集熱器１内に配設された太陽電池パネル１ａは制御部Ｃと電気配線で接続されており、発電時の電力は制御部Ｃに印加されている。
【００１７】
貯湯タンク２は、耐食性に優れ保温効果のある金属製のタンクであり、下部に水を給水する給水管５と接続された給水口を有し、上部に湯水を出湯する出湯管６と接続された出湯口を有し、貯湯タンク２内に内部の湯水の温度を検知するための４つの貯湯タンクサーミスタ２０ａ，２０ｂ，２０ｃ，２０ｄを備えている。４つの貯湯タンクサーミスタ２０ａ，２０ｂ，２０ｃ，２０ｄの検知信号は、それぞれ制御部Ｃに出力され、出湯温制御の算出等に利用される。
【００１８】
給水管５には、上流側から順に、給水元弁５１、減圧弁５２、給水温度を検知する入水温サーミスタ５３、逆止弁５４、及び排水弁５５が配設されている。
【００１９】
貯湯タンク２と補助熱源機３とは出湯管６を介して接続されている。出湯管６には、貯湯タンク２と補助熱源機３との間で、上流側から順に、貯湯タンク２から出湯される湯水の温度を検知する出湯温サーミスタ６１、圧力逃がし弁６２、電磁弁６３、混合弁６４、水量センサ６５、混合サーミスタ６６、及びハイカットサーミスタ６７が配設されている。水量センサ６５は出湯管６を流れる流量を検知し、その検知信号は制御部Ｃに出力される。また、混合サーミスタ６６及びハイカットサーミスタ６７は、出湯管６内の湯水の温度を検知し、これらの検知信号は制御部Ｃに出力される。
【００２０】
出湯管６に設けられている混合弁６４には、給水管５から分岐された混合用給水管９が分岐接続されている。混合弁６４は、貯湯タンク２から出湯される湯水の温度に応じて、貯湯タンク２から出湯された湯水と混合用給水管９を介して給水管５から給水された水とを混合する弁であり、制御部Ｃからの信号に応じてその開度が調整される。
【００２１】
熱媒循環管路７は、太陽熱集熱器１で加熱された熱媒を貯湯タンク２に送る熱媒循環往路７ａと、貯湯タンク２内で給水された水と加熱された熱媒との間で熱交換を行う熱交換部７ｂと、熱交換により冷却された熱媒を太陽熱集熱器１に戻す熱媒循環復路７ｃと、熱媒循環往路７ａと熱媒循環復路７ｃとを連通するバイパス路１４とから構成されている。熱交換部７ｂは、貯湯タンク２内の下方にＵ字状等に屈曲された配管から構成されている。熱媒としては、プロピレングリコールなどを含有する不凍液が使用される。
【００２２】
熱媒循環管路７の熱媒循環復路７ｃには、上流側から順に、熱媒を貯留するための開放系のシスターン８と、循環ポンプＰと、熱媒温度を検知する熱媒温度検知部として熱媒サーミスタ７１と、太陽熱集熱器１への熱媒の流れを連通／遮断する第１熱動弁７２とが配設されている。
この第１熱動弁７２は熱媒循環復路７ｃとバイパス路１４との接続部よりも太陽熱集熱器１側に配設されており、常開している開閉弁であり、制御部Ｃからの信号に応じて開閉される。なお、第１熱動弁７２は、熱媒循環往路７ａに設けてもよいし、熱媒循環往路７ａ、熱媒循環復路７ｃの両方に設けてもよい。
【００２３】
熱媒サーミスタ７１は、熱媒循環復路７ｃとバイパス路１４との接続部よりも貯湯タンク２側に配設されている。これにより、後述する試運転時に、熱媒が太陽熱集熱器１を流通せず、バイパス路１４を流通する第１の熱媒循環経路に切替えられても、熱媒が熱媒サーミスタ７１の配設部位を流通するから、熱媒循環経路の切替えに拘らず、熱媒循環管路７を流通する熱媒の温度を検知することができる。なお、熱媒サーミスタは、さらに熱媒循環往路７ａにも設けてもよい。熱媒サーミスタ７１の検知信号は、制御部Ｃに出力され、記憶される。
【００２４】
バイパス路１４には、バイパス路１４における熱媒の流れを連通／遮断する第２熱動弁１４２が配設されており、この第２熱動弁１４２は、常閉している開閉弁であり、制御部Ｃからの信号に応じて開閉される。また、バイパス路１４には、補助熱源機３から延設する加熱用循環管路１５を接続する液々熱交換部１４１が配設されている。液々熱交換部１４１の構造としては、例えば、バイパス路１４を構成する配管の周囲を覆うように加熱用循環管路１５を構成する配管を設けた二重管構造や、隔壁を介して一方の室にバイパス路１４を接続し、他方の室に加熱用循環管路１５を接続した構造を採用することができる。
【００２５】
シスターン８内には、熱媒の異常高水位を検知する高水位スイッチ８１と、熱媒の異常低水位を検知する低水位スイッチ８２と、循環ポンプＰの空転を防止するための水位スイッチ８３とが配設されている。また、シスターン８の上部には、熱媒がオーバーフローした場合に、シスターン８外に熱媒を排出するためのオーバーフロー管８４が配設されている。
高水位スイッチ８１及び低水位スイッチ８２は、熱媒に触れていると水位検知信号を制御部Ｃに出力する。制御部Ｃは、これらの水位検知信号に基づき、シスターン８内の熱媒の水位が、高水位を超えているか、高水位と低水位との間にあるか、低水位よりも低いかを判断する。
【００２６】
循環ポンプＰは、太陽熱集熱器１内に配設された太陽電池パネル１ａからの太陽光発電電力が所定の電力以上である場合にはその電力により駆動され、後述する試運転時や夜間や雨天などで日射量が不足している場合には商用電源である電源供給部（図示せず）と接続された制御基板３３を介して印加される制御部Ｃからの電力により駆動される。
【００２７】
本実施の形態の太陽熱給湯装置で貯湯運転が行われる場合、太陽熱集熱器１に日射が当たり、制御部Ｃに印加される太陽電池パネル１ａからの太陽光発電電力が所定の電力以上であれば、制御部Ｃはその電力により循環ポンプＰを駆動する。これにより、加熱された熱媒が貯湯タンク２に送られ、貯湯タンク２内に給水された水が加熱されて、湯水が貯湯される。なお、貯湯運転においては、貯湯タンク２から湯水が出湯されないよう、出湯管６に設けられた電磁弁６３は閉弁される。
【００２８】
補助熱源機３は、給湯用加熱ユニット３１と、暖房用加熱ユニット３２と、これら加熱ユニット３１，３２の動作を制御する制御基板３３とを備えている。これらの加熱ユニット３１，３２にはそれぞれ、給湯用熱交換器３１１及び給湯用ガスバーナ３１２と、暖房用熱交換器３２１及び暖房用ガスバーナ３２２とが内蔵されている。
【００２９】
給湯用熱交換器３１１は、出湯管６と接続されている。給湯用熱交換器３１１は、給湯運転が行われる場合に、必要に応じて給湯用ガスバーナ３１２が点火されて加熱され、該給湯用熱交換器３１１で流入した湯水が熱交換されることにより、給湯管Ｌから浴室や台所などに設けられたカラン等の出湯端末に所定の給湯設定温度を有する給湯水が供給される。
【００３０】
本実施の形態の太陽熱給湯装置で給湯運転が行われる場合、出湯端末が開栓されると、混合用給水管９から混合弁６４を介して出湯管６に水が供給される。そして、水量センサ６５で所定流量以上の流水が検知されると、制御部Ｃは出湯管６に設けられた電磁弁６３を開弁する。電磁弁６３が開弁されると、貯湯タンク２から湯水が出湯管６に出湯され、出湯温サーミスタ６１は出湯された湯水の温度を検知し、制御部Ｃに検知温度を出力する。そして、リモコン４の給湯温度設定スイッチを操作することにより制御部Ｃに入力された出湯端末で要求される給湯設定温度よりも貯湯タンク２から出湯される湯水の温度が高い場合、制御部Ｃにより混合弁６４の開度が調整されて、湯水と混合用給水管９から給水される水とが所定割合で混合され、給湯用加熱ユニット３１を作動させることなく、出湯端末に給湯設定温度の給湯水が供給される。一方、貯湯タンク２内から出湯される湯水の温度が出湯端末で要求される給湯設定温度よりも低い場合、制御部Ｃは混合弁６４の開度を所定割合に調整し、給湯用加熱ユニット３１を作動させ、給湯用ガスバーナ３１２を点火して給湯用熱交換器３１１で加熱され、給湯設定温度の給湯水が出湯端末に供給される。
【００３１】
暖房用熱交換器３２１は、温水循環ポンプＰ２を配設して温水（不凍液を含んでも良い。）を循環させる温水循環管路Ｒが接続されている。温水循環管路Ｒは、熱媒循環管路７のバイパス路１４に設けられた液々熱交換部１４１と接続する加熱用循環管路１５と、暖房装置Ｗに接続する暖房用循環管路１６とに分岐されている。加熱用循環管路１５は、暖房用熱交換器３２１で加熱された温水を液々熱交換部１４１に送る加熱用循環往路１５ａと、熱交換により冷却された温水を暖房用熱交換器３２１に戻す加熱用循環復路１５ｂとから構成されており、加熱用循環往路１５ａには温水の流通を連通／遮断する熱動弁１５１が配設されている。暖房用循環管路１６には、暖房装置Ｗに温水の流通を連通／遮断する熱動弁１６１が配設されている。
【００３２】
暖房用加熱ユニット３２は、通常、暖房装置Ｗなどを加熱するための加熱ユニットとして使用されるが、後述の試運転の場合、日射量が不足して太陽熱集熱器１で集熱される集熱エネルギーが少なく、貯湯タンク２内に所定温度の湯水が長時間貯湯されない場合や、太陽熱給湯装置が長時間使用されず、そのため貯湯タンク２内の湯水が入れ替わらず細菌が繁殖する虞がある場合などの貯湯タンク２内の湯水を加熱する必要性に応じて加熱運転を行うための加熱ユニットとして使用される。
【００３３】
制御部Ｃは、マイクロコンピュータを主体として構成されており、出湯端末から給湯設定温度の湯を給湯するための給湯運転部、貯湯タンク２の湯水を加熱する貯湯運転部、試運転時に水張り判定や昇温判定を行なう試運転部などを備えている。また、制御部Ｃは、上述の各種のセンサや各種の弁などと接続されているとともに、浴室や台所などに配置されたリモコン４と補助熱源機３内の制御基板３３を介して接続されている。
リモコン４は、図示しない運転スイッチ、給湯温度設定スイッチ、試運転スイッチなどの操作スイッチと、給湯設定温度や貯湯タンク２内の湯量などを表示する表示部を備えている。
【００３４】
次に、本実施の形態の太陽熱給湯装置の試運転時における制御動作を図２及び図３のフローチャートに従って具体的に説明する。
なお、本実施の形態における試運転プログラムは、シスターン８に熱媒の水張り量を判定する水張り判定と、熱媒循環管路７を循環する熱媒の昇温度合いを判定する昇温判定とからなり、太陽熱集熱器１で集熱される集熱エネルギー量不足等により太陽熱集熱器１で熱媒が加熱されない条件でも、試運転動作を実行できるように、熱媒循環管路７の熱媒の加熱は、補助熱源機３から延設する加熱用循環管路１５の温水により、液々熱交換部１４１で加熱されるように設定されてある。
【００３５】
図２のフローチャートに基づいて、まず、熱媒循環管路７内を循環させる熱媒の水張り判定について説明する。
シスターン８内に所定量の熱媒が手動で注入される。その後、リモコン４の試運転スイッチ（図示せず）が押されると（ＳＴ１）、制御部Ｃを介して商用電力により循環ポンプPが駆動すると同時に、第１熱動弁７２及び第２熱動弁１４２を開弁する（ＳＴ２）。これにより、熱媒は、熱媒循環管路７を、図１の実線太矢印で示されるように、太陽熱集熱器１を含む熱媒循環管路７の全経路である第２の熱媒循環経路で循環する。
シスターン８内に注入された熱媒が、低水位スイッチ８２の設置水位を超えた状態にある場合は、低水位検知信号が制御部Ｃに出力され、同様に、高水位スイッチ８１の設置水位を超えている場合は、高水位検知信号が制御部Ｃに出力される。そこで、熱媒循環管路７内に熱媒を循環させている状態にて、ＳＴ３のステップで、低水位検知信号が出力され（ＯＮ）且つ高水位検知信号は出力されていない（ＯＦＦ）状態、すなわち、シスターン８内の熱媒の水位が高水位と低水位との間にある状態が一定時間（例えば、５分間）を経過したかどうかが判断され、一定時間経過したと判断された場合（ＳＴ３でＹＥＳ）には、水張り状態は正常とみなされ（ＳＴ４）、循環ポンプＰは停止する（ＳＴ５）。
【００３６】
ＳＴ３で、低水位検知信号が出力され（ＯＮ）且つ高水位検知信号は出力されない（ＯＦＦ）状態が一定時間継続しない状態（ＳＴ３でＮＯ）で、水張り判定時間（例えば、３０分間）経過したと判断された場合（ＳＴ６でＹＥＳ）は、ＳＴ７にて水張り異常と判定される。この場合、循環ポンプＰの作動を停止して（ＳＴ５）、シスターン８や熱媒循環管路７を構成している配管等に、漏れや亀裂がないかを検査する。
又、ＳＴ３で、高水位検知信号は出力される状態（ＯＮ）が継続される場合も、水張り異常と判定される。この場合は、熱媒循環管路７の詰まりや循環ポンプＰの故障等が考えられる。
尚、上記試運転中は貯湯タンク２からの湯水の出湯を停止させるために電磁弁６３は閉弁しておく。
【００３７】
水張りが正常であった場合は、続いて、熱媒循環管路７内の熱媒の昇温判定に進む。
熱媒循環管路７の熱媒循環復路７ｃに設けられている熱媒サーミスタ７１で、昇温前の熱媒の温度を検知し、制御部Ｃにて記憶しておく（ＳＴ８）。
その後、制御部Ｃの加熱運転部からの信号に応じて、暖房用加熱ユニット３２が作動し、これにより、暖房用ガスバーナ３２２を点火して暖房用熱交換器３２１で温水を加熱し、加熱用循環管路１５の熱動弁１５１を開弁し温水循環ポンプＰ２を駆動して（ＳＴ９）、加熱用循環管路１５内に温水を循環させて液々熱交換部１４１を加熱する。
他方、熱媒循環管路７では、循環ポンプＰを作動させ、第１熱動弁７２を閉弁し、第２熱動弁１４２を開弁する（ＳＴ１０）。これにより、熱媒は、熱媒循環管路７内で、図１の破線矢印で示されるように、太陽熱集熱器１側には流れず、バイパス路１４を通る第１の熱媒循環経路を流れ、液々熱交換部１４１で加熱されながら循環する。
【００３８】
そして、液々熱交換部１４１で加熱された後の熱媒の温度を熱媒サーミスタ７１で検知し、ＳＴ８で記憶した加熱される前の熱媒の温度と、加熱された後の熱媒の温度を比較演算し、加熱後に検知された温度が加熱前の温度より所定温度（例えば、３℃）以上昇温され、この状態が所定時間（例えば、１分間）経過したかどうかが判定される（ＳＴ１１）。ＳＴ１１でＹＥＳと判定された場合は、昇温具合いは正常と判定され（ＳＴ１２）、ＳＴ１１でＮＯと判定された場合は、その状態が昇温判定時間（例えば、３０分）経過するかどうかをみて（ＳＴ１３）、昇温判定時間を経過する場合は昇温異常とみなされる（ＳＴ１４）。
以上の判定後、昇温判定は終了とみなされ、循環ポンプＰの作動が停止される（ＳＴ１５）と共に、加熱用循環管路１５の熱動弁１５１は閉弁し、暖房用ガスバーナ３２２は消火され、温水循環ポンプＰ２を駆動停止して、暖房用加熱ユニット３２の加熱運転が停止する（ＳＴ１６）。
尚、ＳＴ１４にて、昇温異常とみなされた場合は、熱媒循環管路７又は加熱用循環管路１５の配管のつぶれや閉塞等の異常、循環ポンプＰや熱交換部７ｂや液々熱交換部１４１の故障等がないかを検査する。
以上のように、本実施形態によれば、熱媒の水張り判定、及び、昇温判定が自動で行なえるから、器具の設置場所にかかわらず、効率的に且つ正確に試運転動作の確認作業を実施することができる。
【００３９】
上記した昇温判定は、熱媒循環管路７の第１の熱媒循環経路のみで実施されたものであるから、ＳＴ１４で、昇温異常と判定された場合、第１の熱媒循環経路を構成している範囲のみにおいて各配管や器具の検査を実施すればよい。
【００４０】
続いて、バイパス路１４よりも太陽熱集熱器１側を含んだ熱媒循環管路７全体の第２の熱媒循環経路においても昇温判定を実施することが望ましい。
この場合、図３のフローチャートに示すように、上述の昇温判定（図２のＳＴ８〜ＳＴ１６）とほぼ同様の動作を行なうが、ＳＴ１０−１において、熱媒循環管路７に熱媒を循環させる際、第１熱動弁７２及び第２熱動弁１４２を開弁しておく。これにより、熱媒は、図１の実線太矢印で示すように、太陽熱集熱器１やバイパス路１４を含む熱媒循環管路７の全経路である第２の熱媒循環経路で循環する。
そして、昇温異常と判定された場合（図３のＳＴ１４）、熱媒循環管路７のうち、バイパス路１４よりも太陽熱集熱器１側の回路に不具合があると判断することができる。
これにより、配管の詰まりや機器の故障等、不具合のある箇所の特定が容易となる。
【００４１】
上記実施の形態では、昇温判定において、第１熱動弁７２を閉弁させ且つ第２熱動弁１４２を開弁させて、熱媒循環管路７の第１の熱媒循環経路の昇温判定を行なった後（図２のＳＴ１０）、第１熱動弁７２及び第２熱動弁１４２を開弁させて、第２の熱媒循環経路の昇温判定を行なうようにしたが、熱媒循環管路７の全経路である第２の熱媒循環経路だけの昇温判定を実行しても良い。
また、上記試運転時の水張り判定、昇温判定の結果（正常・異常）を判定終了時に報知するようにしてもよい。
【符号の説明】
【００４２】
１    太陽熱集熱器
２    貯湯タンク
３    補助熱源機
７    熱媒循環管路
８    シスターン
１５  加熱用循環管路
１４１  液々熱交換部
Ｃ    制御部
Ｐ    循環ポンプ
【図１】
0005577109.tif 000002
【図２】
0005577109.tif 000003
【図３】
0005577109.tif 000004